(57)【要約】【課題】端子と蛍光灯のリード線とのはんだ付け、端子と電源プレートとのはんだ付けが共に不要である蛍光灯用コネクタにおいて、蛍光灯を着脱する際の蛍光灯の破損を防止でき、電源プレートを取り外すことなく蛍光灯のみを取り外すことができ、全体の高さを低くできる蛍光灯用コネクタを提供する。【解決手段】ハウジング２４と、ハウジング２４に開閉可能に軸支され、その開時に蛍光灯３０がハウジング２４にセットされることを許容し、閉時にセットされた蛍光灯３０を保持するアクチュエータ２３と、ハウジング２４に形成され、支持プレートを兼ねる電源プレート６０が挿抜されるスリット２１ｃと、スリット２１ｃに挿入された電源プレート６０を係止する係止機構５０と、蛍光灯３０のリード線３０ｒと接触する芯線接触部４１と、電源プレート６０と弾接する電源接触部４５とを有する端子４０とを備えたもの。【選択図】図８
2009181843.tif 000002
【特許請求の範囲】
【請求項１】
支持プレートを兼ねる電源プレートに装着され、バックライトとしての蛍光灯が取り付けられる蛍光灯用コネクタであって、
ハウジングと、
該ハウジングに開閉可能に軸支され、その開時に上記蛍光灯が上記ハウジングにセットされることを許容し、閉時にセットされた蛍光灯を保持するアクチュエータと、
上記ハウジングに形成され、上記電源プレートが挿抜されるスリットと、
該スリットに設けられ、このスリットに挿入された上記電源プレートを係止する係止機構と、
上記ハウジング内に収容され、上記アクチュエータによって保持される蛍光灯のリード線と接触する芯線接触部と、上記スリットに挿入される上記電源プレートと弾接する電源接触部とを有する端子と
を備えたことを特徴とする蛍光灯用コネクタ。
【請求項２】
上記係止機構は、
上記ハウジングに、上記スリットの一部を形成するように上記電源プレートの挿抜方向に沿って梁状に形成され、上記電源プレートが挿入され始める側の端部が上記ハウジングに固定された片持梁と、
該片持梁のスリット形成面に設けられ、上記スリットに挿入された上記電源プレートの係合部と係合する突起とを有する
請求項１に記載の蛍光灯用コネクタ。
【請求項３】
上記ハウジングは、上記アクチュエータが軸支される上モールドと、該上モールドの下部に取り付けられ、上記スリットが形成された下モールドとを有し、
上記端子は、上記上モールドに支持される上基部と、上記下モールドに支持される下基部と、これら上基部と下基部とを繋ぐ接続部とを有し、上記上基部に上記芯線接触部が設けられ、上記下基部に上記電源接触部が設けられた
請求項１又は２に記載の蛍光灯用コネクタ。
【請求項４】
上記芯線接触部は、上記蛍光灯のリード線が間に差し入れられるように上記上基部に設けられた一対のアームと、これらアームの先端を内側に折り返すように形成され上記リード線を挟持するための挟持部と、上記アームの外側部に突出して形成された被押圧部とを有し、
上記アクチュエータは、その開時に上記被押圧部から離間して上記挟持部を上記リード線の直径を超える間隔に離間させた状態とし、閉時に上記被押圧部に接触して上記アームを内側に撓ませることで上記挟持部を上記リード線の直径以下の間隔とするための端子押圧部を有する
請求項３に記載の蛍光灯用コネクタ。
【発明の詳細な説明】
【技術分野】
【０００１】
本発明は、液晶ディスプレイに用いられるバックライトとしての蛍光灯に通電する蛍光灯用コネクタに関する。
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、この蛍光灯が電力の供給を受けるためにそこから外部に引き出されているリード線は、従来、電源に連なる電源線、基板などに、直接、はんだ付けされていた。しかし、このようなリード線のはんだ付け工程は、極めて煩雑で、液晶ディスプレイの生産性、品質を阻害する。
【０００３】
そこで、蛍光灯のリード線のはんだ付け作業を省略した技術として、特許文献１に記載されたもの等が知られている。かかる技術は、蛍光灯の端部に蛍光灯のリード線を覆ってカバー部材を装着してなる蛍光灯・カバー部材組立体を用意しておき、他方、この蛍光灯・カバー部材組立体が装着されるランプ支持部材に凹設された収容部に、端子を取り付けておき、蛍光灯・カバー部材組立体の端部をランプ支持部材の収容部に挿入することで、蛍光灯のリード線を端子に接触させるものである。
【０００４】
こうして蛍光灯のリード線を端子に接触させた後、その端子に形成された接触バネ部と蛍光灯・カバー部材組立体のカバー部材との間に、保持板及びインバータ基板（電源プレート）を圧入し、保持板によって蛍光灯・カバー部材組立体を保持し、電源プレートを介して蛍光灯に給電する。
【０００５】
この技術によれば、端子と蛍光灯のリード線とのはんだ付けが不要となると共に、端子と電源プレートとのはんだ付けも不要となる。
【０００６】
【特許文献１】特開２００４−３３５２２７号公報
【発明の開示】
【発明が解決しようとする課題】
【０００７】
ところで、上記技術においては次のような課題が存在する。
【０００８】
ランプ支持部材に凹設された収容部に、蛍光灯・カバー部材組立体の端部を挿入し、リード線を端子に接触させる作業は、収容部内の端子が蛍光灯・カバー部材組立体の端部で隠された状態（作業者にとってブラインド状態）で行われるため、作業性が良くない。そのため、挿入部が引っ掛かる等して挿入抵抗が増し、その挿入抵抗力が蛍光灯・カバー部材組立体の蛍光灯に曲げ力として作用する可能性がある。蛍光灯は上述のように直径が２．６乃至５．０ｍｍという極細のものなので、上記曲げ力は蛍光灯を破損させる原因となる。特に、蛍光灯が大型液晶テレビ用に長尺となった場合、さらに破損の可能性が高まる。
【０００９】
ランプ支持部材に凹設された収容部に、蛍光灯・カバー部材組立体の端部を挿入した後、その蛍光灯・カバー部材組立体の端部に保持板及び電源プレートを支持させているので、検査工程で蛍光灯の不点灯が発見され、その交換が必要となった場合、保持板及び電源プレートを取り外さなければ、蛍光灯・カバー部材組立体をランプ支持部材の収容部から引き抜いて取り外すことができず、交換作業性が良くない。また、蛍光灯・カバー部材組立体をランプ支持部材の収容部から引き抜く際、その引抜抵抗力が蛍光灯に曲げ力として作用し、蛍光灯が破損する可能性がある。
【００１０】
ランプ支持部材に凹設された収容部に、蛍光灯・カバー部材組立体の端部を挿入した後、その蛍光灯・カバー部材組立体の端部に保持板及び電源プレートを支持させているので、ランプ支持部材、蛍光灯・カバー部材組立体、保持板及び電源プレートが積層配置される構造となり、全体の高さ（液晶ディスプレイの厚さ方向の寸法）が大きくならざるを得ず、液晶ディスプレイの薄型化に適しているとはいえない。
【００１１】
以上の事情を考慮して創案された本発明の目的は、端子と蛍光灯のリード線とのはんだ付け、端子と電源プレートとのはんだ付けが共に不要である蛍光灯用コネクタにおいて、蛍光灯を着脱する際の蛍光灯の破損を防止でき、電源プレートを取り外すことなく蛍光灯のみを取り外すことができ、全体の高さを低くできる蛍光灯用コネクタを提供することにある。
【課題を解決するための手段】
【００１２】
上記目的を達成するために創案された本発明は、支持プレートを兼ねる電源プレートに装着され、バックライトとしての蛍光灯が取り付けられる蛍光灯用コネクタであって、ハウジングと、該ハウジングに開閉可能に軸支され、その開時に上記蛍光灯が上記ハウジングにセットされることを許容し、閉時にセットされた蛍光灯を保持するアクチュエータと、上記ハウジングに形成され、上記電源プレートが挿抜されるスリットと、該スリットに設けられ、このスリットに挿入された上記電源プレートを係止する係止機構と、上記ハウジング内に収容され、上記アクチュエータによって保持される蛍光灯のリード線と接触する芯線接触部と、上記スリットに挿入される上記電源プレートと弾接する電源接触部とを有する端子とを備えたものである。
【００１３】
上記係止機構は、上記ハウジングに、上記スリットの一部を形成するように上記電源プレートの挿抜方向に沿って梁状に形成され、上記電源プレートが挿入され始める側の端部が上記ハウジングに固定された片持梁と、該片持梁のスリット形成面に設けられ、上記スリットに挿入された上記電源プレートの係合部と係合する突起とを有していてもよい。
【００１４】
上記ハウジングは、上記アクチュエータが軸支される上モールドと、該上モールドの下部に取り付けられ、上記スリットが形成された下モールドとを有し、上記端子は、上記上モールドに支持される上基部と、上記下モールドに支持される下基部と、これら上基部と下基部とを繋ぐ接続部とを有し、上記上基部に上記芯線接触部が設けられ、上記下基部に上記電源接触部が設けられてもよい。
【００１５】
上記芯線接触部は、上記蛍光灯のリード線が間に差し入れられるように上記上基部に設けられた一対のアームと、これらアームの先端を内側に折り返すように形成され上記リード線を挟持するための挟持部と、上記アームの外側部に突出して形成された被押圧部とを有し、上記アクチュエータは、その開時に上記被押圧部から離間して上記挟持部を上記リード線の直径を超える間隔に離間させた状態とし、閉時に上記被押圧部に接触して上記アームを内側に撓ませることで上記挟持部を上記リード線の直径以下の間隔とするための端子押圧部を有していてもよい。
【発明の効果】
【００１６】
本発明によれば、端子と蛍光灯のリード線とのはんだ付け、端子と電源プレートとのはんだ付けが共に不要である蛍光灯用コネクタにおいて、蛍光灯を着脱する際の蛍光灯の破損を防止でき、電源プレートを取り外すことなく蛍光灯のみを取り外すことができ、全体の高さを低くできる。
【発明を実施するための最良の形態】
【００１７】
以下、本発明の好適実施形態を添付図面に基づいて説明する。
【００１８】
図１は液晶ディスプレイ（図示せず）の背面に配設される反射板１０の辺りを液晶ディスプレイ側から見た模型的斜視図、図２は図１のII−II線断面図、図３は図１に表された電源プレート６０の部分拡大平面図、図４は図１に表されたアッセンブリ品を反対側から見た模型的斜視図である。
【００１９】
反射板１０は、略長方形の板状に形成されたフレームやシャシなどの取付部材（取付ボード）１１に貼付されている。取付ボード１１の相対向する一端部と他端部とには、電源プレート６０が取り付けられている。電源プレート６０は、コネクタ２０に給電するのみならず、コネクタ２０の支持プレートをも兼ねる。各電源プレート６０には、本実施形態に係る蛍光灯用コネクタ（以下コネクタ）２０が、対を成すように複数並設されている。そして、各対のコネクタ２０の間には、バックライトとしての蛍光灯３０が装着されている。
【００２０】
本実施形態においては、コネクタ２０は９対取り付け得るようになっており、そこに９本の蛍光灯３０が装着される例を示したが、蛍光灯３０の数は液晶ディスプレイの大きさなどに応じて必要数量が異なる。また、本実施形態では、蛍光灯３０は、棒状（Ｉ字状）のものが用いられているが、Ｕ字状のものであっても良い。なお、図１においては、説明の都合から、２対のコネクタ２０を省略し、一方の電源プレート６０の一端を破断している。
【００２１】
電源プレート６０は、コネクタ２０が並設される方向に沿って細長い略長方形に形成されており、その両端部６０ａが取付ボード１１に向けて略直角に曲げられている。かかる電源プレート６０は、その両端部６０ａが取付ボード１１に当接されると共に中間部６０ｂが取付ボード１１から離間された状態で、ネジ６１により取付ボード１１に固定されている。すなわち、電源プレート６０には、ネジ６１が挿通される貫通穴６２が形成され、取付ボード１１にはネジ６１が螺合されるネジ穴１１ａが形成されている。また、電源プレート６０には、コネクタ２０を装着するために凹状に形成された切欠部６３が、間隔を隔てて複数設けられている。切欠部６３については後述する。
【００２２】
図中、Ｘは蛍光灯３０の長手方向と平行な方向、Ｙは取付部材１１と平行な面内にて蛍光灯３０の長手方向と直交する方向である。
【００２３】
図５は図１の部分拡大図、図６は図５のVI−VI線断面図、図７は図５のVII−VII線断面図である。
【００２４】
コネクタ２０は、支持プレートを兼ねる電源プレート６０に装着されるハウジング２４を有する。ハウジング２４には、蛍光灯３０を着脱する際に開閉されるアクチュエータ２３が軸支され、電源プレート６０の切欠部６３が挿抜されるスリット２１ｃが形成されている。アクチュエータ２３は、開時に蛍光灯３０がハウジング２４にセットされることを許容し、閉時にセットされた蛍光灯３０を保持するものである。
【００２５】
ハウジング２４の内部には、スリット２１ｃに挿入された電源プレート６０を、アクチュエータ２３で保持された蛍光灯３０に導通させるための端子４０が収容されている。端子４０は、アクチュエータ２３によって保持される蛍光灯３０のリード線３０ｒと接触する芯線接触部４１と、スリット２１ｃに挿入される電源プレート６０と弾接する電源接触部４５とを有する。
【００２６】
図８はコネクタ２０の各構成部品を示す分解斜視図、図９は図８に示す下モールド２１を反対側から見た斜視図である。
【００２７】
ハウジング２４は、スリット２１ｃが形成された下モールド２１と、下モールド２１の上に装着され、アクチュエータ２３が軸支される上モールド２２とから主に構成されている。
【００２８】
下モールド２１は、略直方体状に形成された本体部２１ｘと、本体部２１ｘのＹ方向の両端からＸ方向に夫々延出して形成された延出部２１ｙとから主に構成され、平面視形状が略凹字状を呈している。延出部２１ｙの内面には、上モールド２２に設けたボス２２ｂが係合する後方レール溝２１ｇがＸ方向に沿って断面コ字状に形成され、本体部２１ｘの上面には、上モールド２２に設けた脚部２２ｆが係合する前方レール溝２１ｆがＸ方向に沿って断面Ｌ字状に形成されている。
【００２９】
なお、図８にて、Ｘ方向の左方（蛍光灯３０が位置付けられる方向）を前方とし、その反対方向を後方とする。
【００３０】
下モールド２１には、その前面及び左右の側面に沿って、電源プレート６０の切欠部６３が挿抜されるスリット２１ｃが形成されている。下モールド２１は、スリット２１ｃより上方の上部２１ｔ、スリット２１ｔより下方の下部２１ｂ、上部２１ｔと下部２１ｂとを繋ぐ連結部２１ｒ（図９参照）から成る三層構造となっている。下モールド２１の下部２１ｂには、スリット２１ｃに挿入された電源プレート６０を係止するための係止機構５０が設けられている。
【００３１】
係止機構５０は、下モールド２１にスリット２１ｃの一部を形成するようにＸ方向（電源プレート６０の挿抜方向）に沿って梁状に形成された片持梁５１と、片持梁５１のスリット形成面（図８中の上面）５２に設けられた突起５３とを有する。片持梁５１は、電源プレート６０が挿入され始める側の端部のみが下モールド２１に固定され、それ以外の部分が切り込み５４によって下モールド２１から離間されている。突起５３は、電源プレート６０の挿入方向に沿って高くなるスロープ５５と、スロープ５５から略直角に落ち込む段差部５６とから成り、スリット２１ｃに挿入される図３に示す電源プレート６０の切欠部６３に形成された係合部６４と係合する。
【００３２】
切欠部６３は、電源プレート６０の長手方向に沿って間隔を隔てて複数形成されており、図３に示すように、入口側の幅広切欠部６５、奥側の幅狭切欠部６６、幅狭切欠部６６に凹設された係合部６４、係合部６４と幅広切欠部６５との間に形成された舌片部６７とを有する。このような電源プレート６０の切欠部６３に図８に示す下モールド２１のスリット２１ｃが挿入されると、片持梁５１の突起５３のスロープ５５が切欠部６３の舌片部６７に乗り上がって片持梁５１が撓み、舌片部６７がスロープ５５を乗り越えると撓んでいた片持梁５１が復元することで突起５３が係合部６４に嵌り込む。
【００３３】
一旦、突起５３が係合部６４に嵌り込むと、突起５３の段差部５６が係合部６４の縁に当接するので、下モールド２１が電源プレート６０から意に反して抜けることはない。下モールド２１を電源プレート６０から抜くには、片持梁５１の自由端部を図８の下方（ＸＹ平面と直交する方向）に押圧して片持梁５１を撓ませ、突起５３を係合部６４の縁よりも押し下げ、両者の係合を解けばよい。
【００３４】
図８に示すように、上モールド２２には、下モールド２１の後方レール溝２１ｇに係合するように形成されたボス２２ｂ、下モールド２１の前方レール溝２１ｆに係合するように断面Ｌ字状に形成された脚部２２ｆが設けられている。また、上モールド２２には、下モールド２１の係合部２１ｗと係合するフック２２ｇが設けられている（図６参照）。フック２２ｇは、基端が上モールド２２に接続されＸ方向に延出された片持梁２２ｈの先端に設けられており、上モールド２２をＸ方向に移動させて下モールド２１に装着する際、下モールド２１のスロープ２１ｍに乗り上がった後に下モールド２１の溝部２１ｎに落ち込み、係合部２１ｗと係合する。
【００３５】
上モールド２２は、下モールド２１に装着された状態において、フック２２ｇが係合部２１ｗに当接する後退位置と、ボス２２ｂが設けられたブロック２２ｘの前面が下モールド２１の本体２１ｘの背面を形成する前記連結部２１ｒに当接する前進位置との間で、下モールド２１に対してＸ方向に移動可能となっている。これにより、蛍光灯３０の長手方向の熱伸縮を吸収できる。但し、蛍光灯３０の熱伸縮が無視できる場合やこの熱伸縮を電源プレート６０と下モールド２１との間のスリット２１ｃの部分で吸収できる場合であれば、上モールド２２が下モールド２１に対してＸ方向に移動不能となっていてもよい。
【００３６】
また、上モールド２２には、図８に示すように、アクチュエータ２３の軸２３ｊを支承する軸受部２２ｊ、蛍光灯３０のリード線３０ｒが挿通されるリード線挿通溝２２ｍ、端子４０が収容される端子溝２２ｎが設けられている。更に、上モールド２２には、アクチュエータ２３が閉じられたとき、アクチュエータ２３の端子押圧部２３ｑが進入し得る押圧部溝２２ｐ、アクチュエータ２３の被係合部２３ｈと係合するロック爪２２ｔなどが設けられている。なお、リード線挿通溝２２ｍには、アクチュエータ２３のリード線押圧部２３ｒが進入される。
【００３７】
上モールド２２と下モールド２１とからなるハウジング２４の内部には、端子４０が収容されている。
【００３８】
この端子４０は、上モールド２２に支持される上基部４２と、下モールド２１に支持される下基部４４と、これら上基部４２と下基部４４とを繋ぐ接続部４３とを有する。上基部４２には、蛍光灯３０のリード線３０ｒと接触する芯線接触部４１が設けられ、下基部４４には、スリット２１ｃに挿入される電源プレート６０と弾接する電源接触部４５が設けられている。
【００３９】
詳しくは、端子４０の上基部４２は、略長方形の板状に形成されており、その両端に上モールド２２の端子溝２２ｎ（図７参照）に食い込む矢尻４２ｙが形成されている。この上基部４２には、芯線接触部４１が設けられている。芯線接触部４１は、蛍光灯３０のリード線３０ｒが間に差し入れられるように上基部４２に設けられた一対のアーム４１ａと、これらアーム４１ａの先端を内側に折り返すように形成されリード線３０ｒを挟持するための挟持部４１ｋと、アーム４１ａの外側部に突出して三角形状に形成された被押圧部４１ｈとを有する。
【００４０】
アーム４１ａが外力を受けていない自然状態において、被押圧部４１ｈは、上モールド２２の押圧部溝２２ｐ内に突出しており、挟持部４１ｋ同士の間隔は、蛍光灯３０のリード線３０ｒの直径よりも大きくなっている。また、これら挟持部４１ｋは、アーム４１ａが自然状態のとき、上モールド２２のリード線挿通溝２２ｍ内に突出しないように、端子溝２２ｎ内に収容された状態となっている。但し、挟持部４１ｋ同士の間隔がリード線３０ｒの直径よりも大きい状態が確保できれば、挟持部４１ｋが挿通溝２２ｍ内に僅かに突出していても構わない。
【００４１】
端子４０の下基部４４は、略長方形の板状に形成されており、その両端に下モールド２１の端子溝２１ｚ（図９参照）に食い込む矢尻４４ｙが形成されている。この下基部４４には、電源接触部４５が設けられている。電源接触部４５は、下基部４４から切り起こされた立脚部４４ｒと、立脚部４４ｒの上端に設けられた上舌部４５ａと、立脚部４４ｒの下端に設けられた下舌部４５ｂとを有する。上舌部４５ａと下舌部４５ｂとは、チューリップ状に対向され、下モールド２１に形成された挿通穴２１ｖ（図９参照）に位置付けられている。挿通穴２１ｖは、下モールド２１のスリット２１ｃ内の連結部２１ｒに、Ｘ方向に内外を連通して形成されている。上舌部４５ａと下舌部４５ｂとの間隔は、自然状態で電源プレート６０の厚さよりも小さい。
【００４２】
図８に示すように、端子４０の接続部４３は、上基部４２と下基部４４を連結するものであり、左右方向に蛇行するように形成されている。上モールド２２が下モールド２１に対してＸ方向に移動すると、その移動は端子４０の接続部４３が撓むことで許容される。なお、上モールド２２を下モールド２１に対してＸ方向に移動不能としたときには、接続部４３は撓む必要が無いので単なる板状としてもよい。
【００４３】
上モールド２２には、アクチュエータ２３が軸支されている。
【００４４】
アクチュエータ２３は、天壁２３ｔと、そこに直角に連なる一対の横壁２３ｙとを備え、横壁２３ｙに設けられた軸２３ｊが上モールド２２の軸受部２２ｊに回動可能に支承されている。
【００４５】
天壁２３ｔの内面には、アクチュエータ２３が閉じられたとき、上モールド２２の押圧部溝２２ｐに進入して端子４０の被押圧部４１ｈを押圧する端子押圧部２３ｑが板状に垂下して形成されていると共に、上モールド２２の挿通溝２２ｍに進入して蛍光灯３０のリード線３０ｒを押さえて適正位置まで押し込むリード線押圧部２３ｒが板状に垂下して形成されている。
【００４６】
端子押圧部２３ｑは、アクチュエータ２３が上方に回動されたとき（開時）、端子４０の被押圧部４１ｈから離間して端子４０の挟持部４１ｋを蛍光灯３０のリード線３０ｒの直径を超える間隔に離間させた状態とし、アクチュエータ２３が下方に回動されたとき（閉時）、被押圧部４１ｈに接触してアーム４１ａを内側に撓ませることで挟持部４１ｋをリード線３０ｒの直径以下の間隔とするものである。
【００４７】
横壁２３ｙの先端側の上縁には、アクチュエータ２３を閉じたとき、上モールド２２に設けたロック爪２２ｔを係合する被係合部２３ｈが形成されている。ロック爪２２ｔと被係合部２３ｈとは、アクチュエータ２３を閉じたとき、それを閉状態に保つロック機構を構成する。
【００４８】
上述した下モールド２１、上モールド２２、端子４０、アクチュエータ２３は、次のようにして組み立てられ、コネクタ２０となる。
【００４９】
先ず、図８に示す上モールド２２の端子溝２２ｎに、端子４０の芯線接触部４１及び上基部４２を下から上に向けて圧入する（図７参照）。これにより、端子４０の挟持部４１ｋが上モールド２２のリード線挿入溝２２ｍに臨み、端子４０の被押圧部４１ｈが上モールド２２の押圧部溝２２ｐに突出して位置付けられた状態で、端子４０の上基部４２に設けた矢尻４２ｙが上モールド２２の端子溝２２ｎに食い込み、端子４０の上基部４２が上モールド２１に固定される。この結果、上モールド・端子組立体が得られる。
【００５０】
次に、上モールド・端子組立体を、下モールド２１に、Ｘ方向に沿って後方から前方に向けて送り込む。これにより、端子４０の電源接触部４５が下モールド２１に形成された挿通穴２１ｖ（図９参照）に位置付けられた状態で、端子４０の下基部４４に設けた矢尻４４ｙが下モールド２１の圧入溝２１ｚに食い込み、端子４０の下基部４４が下モールド２２に固定される。この結果、上モールド・端子・下モールド組立体が得られる。
【００５１】
詳しくは、上モールド・端子組立体を下モールド２１にその後方から前方に向けて送り込むとき、下モールド２１の前方レール溝２１ｆに上モールド２２の脚部２２ｆを係合させ、下モールド２１の後方レール溝２１ｇに上モールド２２のボス２２ｂを嵌め込むことで、上記送り込みの方向を的確にガイドする。これにより、端子４０の下基部４４が的確に下モールド２１の圧入溝２１ｚに圧入され、電源接触部４５が的確に挿通穴２１ｖに位置付けられる。
【００５２】
また、上記送り込みに伴って、上モールド２２のフック２２ｇが、下モールド２１のスロープ２１ｍに乗り上がった後に溝部２１ｎに落ち込み、係合部２１ｗと係合する。この結果、上モールド・端子組立体と下モールド２１とが一体化され、上モールド・端子・下モールド組立体が得られる。この上モールド・端子・下モールド組立体内の端子４０の電源接触４５は、既述のように下モールド２１の挿通穴２１ｖに対向する位置に位置付けられている。
【００５３】
このようにして得られた上モールド・端子・下モールド組立体に、アクチュエータ２３を取り付ける。具体的には、アクチュエータ２３を立てた状態（開放位置とした状態）とし、その軸２３ｊを上方から上モールド２２の軸受部２２ｊに押し込む。こうして上モールド・端子・下モールド組立体にアクチュエータ２３が組み付けられ、コネクタ２０の組み立てが完了する。
【００５４】
次に、コネクタ２０に蛍光灯３０を装着するに先立ち、コネクタ２０を電源プレート６０の切欠部６３に装着し、両者の電気的接続と実装とを同時に果たし、コネクタ・電源プレート組立体を得ておく。
【００５５】
具体的には、図３に示す電源プレート６０の切欠部６３に図８に示すコネクタ２０の下モールド２１のスリット２１ｃを合わせ、コネクタ２０を電源プレート６０に食い込ませるようにＸ方向に押し込む。
【００５６】
すると、スリット２１ｃの一部を形成する図８に示す片持梁５１の突起５３が、図３に示す切欠部６３の舌片部６７に乗り上がって片持梁５１が撓み、突起５３のスロープ５５が舌片部６７を乗り越えると撓んでいた片持梁５１が復元することで突起５３が係合部６４に嵌り込み、コネクタ２０の電源プレート６０への実装がなされる。
【００５７】
一旦、突起５３が係合部６４に嵌り込むと、コネクタ２０を電源プレート６０から引き抜こうとしても、突起５３の段差部５６が係合部６４の手前側の縁に当接するので、コネクタ２０が電源プレート６０から意に反して抜けることはない。なお、コネクタ２０を電源プレート６０から抜くには、片持梁５１の自由端部を図８にて下方に押圧して片持梁５１を撓ませ、突起５３の段差部５６を係合部６４の縁よりも押し下げ、両者の係合を解けばよい。
【００５８】
上述のように、コネクタ２０を電源プレート６０の切欠部６３に押し込んで装着（実装）すると、電源プレート６０が端子４０の電源接触部４５を成す上舌部４５ａと下舌部４５ｂとの間に弾性的に挟持され、電源プレート６０と端子４０との電気的接続がなされる。この接続は、コネクタ２０を電源プレート６０の切欠部６３に、電源接触部４５の挿入抵抗（上舌部４５ａと下舌部４５ｂとの弾性的な挟持抵抗）より大きな力で押し込むというワンタッチの動作で達成でき、所謂Ｎｏｎ−ＺＩＦ的接続であるので、極めて簡便である。
【００５９】
こうして電源プレート６０にコネクタ２０を取り付けてコネクタ・電源プレート組立体を得たなら、そのコネクタ・電源プレート組立体を図１、図２に示すようにネジ６１により取付ボード１１に装着する。
【００６０】
その後、コネクタ２０には蛍光灯３０が次のようにして取り付けられる。
【００６１】
先ず、アクチュエータ２３を上方に回動させて開状態とし、上モールド２２のリード線挿通溝２２ｍの上方を開放させ、そのリード線挿通溝２２ｍに蛍光灯３０のリード線３０ｒを挿通させ、リード線３０ｒを端子４０の挟持部４１ｋの間の位置付ける。このとき、挟持部４１ｋ同士の間隔はリード線３０ｒの直径を超える間隔となっているので、リード線３０ｒをリード線挿通溝２２ｍに挿通させる作業は無抵抗で行え、蛍光灯３０にはストレスが全く生じない。
【００６２】
その後、アクチュエータ２３を水平になるまで回動させて閉状態とする。すると、アクチュエータ２３のリード線押圧部２３ｒが上モールド２２のリード線挿通溝２２ｍに進入し、リード線３０ｒをリード線挿通溝２２ｍの適正位置まで押し込み、同時に、アクチュエータ２３の端子押圧部２３ｑが上モールド２２の端子押圧溝２２ｐに進入し、端子４０の被押圧部４１ｈを押圧する。この結果、挟持部４１ｋ同士の間隔がリード線３０ｒの直径以下に狭まり、適正位置まで押し込まれたリード線３０ｒが挟持部４１ｋによって挟持される。
【００６３】
こうしてリード線３０ｒと端子４０とが電気的に接続されるのであるが、この接続はリード線３０ｒをリード線挿通溝２２ｍに挿通させる際に無抵抗であり、所謂ＺＩＦ的接続となるので、蛍光灯３０にストレスが生じない。なお、アクチュエータ２３を閉状態とすると、アクチュエータ２３の被係合部２３ｈが上モールド２２のロック爪２２ｔに係合し、閉状態が保持されることになる。
【００６４】
以上述べたように本実施形態に係るコネクタ２０によれば、次のような効果を発揮できる。
【００６５】
本コネクタ２０によれば、蛍光灯３０をセットした後、アクチュエータ２３を閉位置に倒すだけで、蛍光灯３０のリード線３０ｒと端子４０とのＺＩＦ的接続が完了し、はんだ付けを要せず、従ってディスプレイの生産性を向上できる。
【００６６】
コネクタ２０の電源プレート６０への接続は、所謂Ｎｏｎ−ＺＩＦ的接続であって極めて簡単であり、さらにコネクタ２０の電源プレート６０への実装も同時に行え、且つコネクタ２０と電源プレート６０との間にはんだ付けを要せず、従ってディスプレイの生産性を向上できる。
【００６７】
蛍光灯３０のコネクタ２０への装着あるいは抜去作業はＺＩＦ的方式となるので、蛍光灯３０に何等応力が作用せず、この作業での蛍光灯３０の破損を皆無とし、且つ蛍光灯３０を交換する場合にも容易になすことができる。また、蛍光灯３０を交換するときには、電源プレート６０を取り外すことなく蛍光灯３０のみをコネクタ２０に対して着脱できる。
【００６８】
加えて、コネクタ２０の電源プレート６０への固着と接続とは、コネクタ２０の高さ方向の上端と下端との間に形成したスリット２１ｃに電源プレート６０を挿通して行うようにしたので、コネクタ２０を電源プレート６０に装着したアッセンブリ品の高さを抑えることができ、もって液晶ディスプレイの薄型化に寄与できる。
【００６９】
なお、コネクタ２０に取り付けられた蛍光灯３０は、自身の発光熱で長手方向Ｘに熱伸縮するものの、この熱伸縮は、上モールド２２が下モールド２１に対してＸ方向にスライドすることで解放される。よって、蛍光灯３０には、長手方向Ｘの熱伸縮に因る熱応力が生じることはない。
【００７０】
本発明は上記実施形態に限定されるものではない。
【００７１】
本実施形態では、電源プレート６０を取付ボード１１に装着するようにしたが、反射板１０が或る程度の剛性を有していればその反射板１０に直接固定してもよく、或いはフレーム、シャシ、筐体などに装着されてもよく、いかなるところに取り付けられてもよい。
【００７２】
また、本実施形態では、図１に示すように、コネクタ２０を取付ボード１１の両端に対にして用いる例を示したが、片端側のみに採用しても構わない。
【００７３】
また、上モールド２２と下モールド２１とを一体としてハウジング２４としても構わない。
【図面の簡単な説明】
【００７４】
【図１】液晶ディスプレイ（図示せず）の背面に配設される反射板の辺りを液晶ディスプレイ側から見た模型的斜視図である。
【図２】図１のII−II線断面図である。
【図３】図１に表された電源プレートの部分拡大平面図である。
【図４】図１に表されたアッセンブリ品を反対側から見た模型的斜視図である。
【図５】図１の部分拡大図である。
【図６】図５のVI−VI線断面図である。
【図７】図５のVII−VII線断面図である。
【図８】コネクタの各構成部品を示す分解斜視図である。
【図９】図８に示す下モールドを反対側から見た斜視図である。
【符号の説明】
【００７５】
２０  コネクタ
２１  下モールド
２１ｃ  スリット
２２  上モールド
２３  アクチュエータ
２３ｑ  端子押圧部
２４  ハウジング
３０  蛍光灯
３０ｒ  リード線
４０  端子
４１  芯線接触部
４１ａ  アーム
４１ｋ  挟持部
４１ｈ  被押圧部
４２  上基部
４３  接続部
４４  下基部
４５  電源接触部
５０  係止機構
５１  片持梁
５３  突起
６０  電源プレート
６４  係合部
Ｘ  挿抜方向（蛍光灯の長手方向）
【図１】
2009181843.tif 000003
【図２】
2009181843.tif 000004
【図３】
2009181843.tif 000005
【図４】
2009181843.tif 000006
【図５】
2009181843.tif 000007
【図６】
2009181843.tif 000008
【図７】
2009181843.tif 000009
【図８】
2009181843.tif 000010
【図９】
2009181843.tif 000011